【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
コンテンツに含まれる音声に対する音声認識の誤りを複数の修正端末を介して修正する音声認識誤り修正支援装置であって、
テキストデータである前記音声の認識結果を発話内容の切り替わりごとのセグメントに分割する認識結果分割手段と、
前記セグメントと前記認識結果を構成する単語ごとの時間情報とを記憶する記憶手段と、
前記複数の修正端末を介して修正内容を取得し、音声認識の誤りを修正する複数の編集手段と、を備え、
前記編集手段は、
項目情報とともに前記セグメントに含まれる単語列を表示するか否かを指定するボタンを表示し、前記ボタンの選択により、編集画面を表示して前記セグメントの単語列を展開するか、前記編集画面を非表示とするかの制御を行う編集画面制御手段と、
前記編集画面上で指定されたテキスト内における単語の前記時間情報に基づいて、対応する音声を、前記修正端末に出力する音声出力手段と、
前記編集画面で修正された修正内容を用いて、前記記憶手段に記憶されている前記認識結果を後書き優先で更新するとともに、前記認識結果が後書きされた旨の更新通知を他の編集手段に通知して前記修正端末に対応する前記修正内容を反映させる誤り修正手段と、
を備えることを特徴とする音声認識誤り修正支援装置。
【請求項２】
前記誤り修正手段は、修正を行っていないテキストと異なる色属性で、前記修正内容を表示することを特徴とする請求項１に記載の音声認識誤り修正支援装置。
【請求項３】
前記編集手段は、修正の対象となるコンテンツを１以上選択する修正対象選択画面を前記修正端末に表示する修正対象選択手段をさらに備え、
前記編集画面制御手段は、前記修正対象選択手段で選択された１以上の修正対象の前記認識結果を含んだ編集画面を前記修正端末に表示することを特徴とする請求項１または請求項２に記載の音声認識誤り修正支援装置。
【請求項４】
前記編集手段は、前記修正端末からの修正結果の取得指示に対して、前記修正対象選択手段で選択された修正対象の修正結果を前記修正端末に出力する修正結果出力手段をさらに備えることを特徴とする請求項３に記載の音声認識誤り修正支援装置。
【請求項５】
前記修正結果出力手段は、前記編集画面上で選択された文字列から、前記文字列をテキストとするＱＲコード（登録商標）を生成し、前記修正端末に表示することを特徴とする請求項４に記載の音声認識誤り修正支援装置。
【請求項６】
前記時間情報は、前記コンテンツに付加されているタイムコードの情報であることを特徴とする請求項１から請求項５のいずれか一項に記載の音声認識誤り修正支援装置。
【請求項７】
前記編集画面制御手段は、修正の対象となるコンテンツの認識結果に対応付けて、前記認識結果の先頭単語の時間情報を前記修正端末に表示することを特徴とする請求項１から請求項６のいずれか一項に記載の音声認識誤り修正支援装置。
【請求項８】
前記編集画面制御手段は、前記音声出力手段が出力する音声の再生時間に対応して、前記修正端末に表示する時間情報を更新することを特徴とする請求項７に記載の音声認識誤り修正支援装置。
【請求項９】
コンピュータを、請求項１から請求項８のいずれか一項に記載の音声認識誤り修正支援装置として機能させるための音声認識誤り修正支援プログラム。
【手続補正２】
【補正対象書類名】明細書
【補正対象項目名】０００７
【補正方法】変更
【補正の内容】
【０００７】
前記課題を解決するため、本発明に係る音声認識誤り修正支援装置は、コンテンツに含まれる音声に対する音声認識の誤りを複数の修正端末を介して修正する音声認識誤り修正支援装置であって、認識結果分割手段と、記憶手段と、複数の編集手段と、を備え、編集手段が、編集画面制御手段と、音声出力手段と、誤り修正手段と、を備える構成とした。
【手続補正３】
【補正対象書類名】明細書
【補正対象項目名】０００８
【補正方法】変更
【補正の内容】
【０００８】
かかる構成において、音声認識誤り修正支援装置は、認識結果分割手段によって、テキストデータである音声の認識結果を発話内容の切り替わりごとのセグメントに分割する。
また、音声認識誤り修正支援装置は、セグメントと認識結果を構成する単語ごとの時間情報とを記憶手段に記憶する。
そして、音声認識誤り修正支援装置は、複数の修正端末に対応した編集手段によって、修正端末を介して修正内容を取得し、音声認識の誤りを修正する。
【手続補正４】
【補正対象書類名】明細書
【補正対象項目名】０００９
【補正方法】変更
【補正の内容】
【０００９】
ここで、編集手段は、編集画面制御手段によって、項目情報とともにセグメントに含まれる単語列を表示するか否かを指定するボタンを表示し、ボタンの選択により、編集画面を表示してセグメントの単語列を展開するか、編集画面を非表示とするかの制御を行う。
また、編集手段は、編集画面上で指定されたテキスト内における単語の時間情報に基づいて、対応する音声を修正端末に出力する。これによって、作業者は、音声認識されたテキストと音声とを単語ごとに確認することが可能になる。
そして、音声認識誤り修正支援装置は、誤り修正手段によって、編集画面で修正された修正内容を用いて、記憶手段に記憶されている認識結果を後書き優先（上書き）で更新するとともに、認識結果が後書きされた旨の更新通知を他の編集手段に通知して修正端末に対応する修正内容を反映させる。これによって、作業者は、他の修正端末で修正された修正箇所を認識することが可能になる。
【手続補正５】
【補正対象書類名】明細書
【補正対象項目名】００１０
【補正方法】変更
【補正の内容】
【００１０】
また、音声認識誤り修正支援装置は、コンピュータを、前記した各手段として機能させるための音声認識誤り修正支援プログラムで動作させることができる。
【手続補正６】
【補正対象書類名】明細書
【補正対象項目名】００３４
【補正方法】変更
【補正の内容】
【００３４】
ここで、図３〜図５を参照（適宜図２参照）して、素材情報記憶手段１４が記憶する素材情報について具体的に説明する。
図３に示すように、素材情報記憶手段１４は、音声認識誤りを修正する対象となる素材コンテンツ（映像・音声）Ｃｏｎを記憶する。素材コンテンツ（映像・音声）Ｃｏｎは、素材コンテンツ入力手段１０によって、記憶されたものである。
【手続補正７】
【補正対象書類名】明細書
【補正対象項目名】００５８
【補正方法】変更
【補正の内容】
【００５８】
編集領域３１７は、セグメントに対応する単語列を表示し、修正を行う編集領域である。編集画面制御手段１５１は、編集領域３１７に、素材情報記憶手段１４に記憶されている当該セグメントに対応する単語列を展開する。
【手続補正８】
【補正対象書類名】明細書
【補正対象項目名】００５９
【補正方法】変更
【補正の内容】
【００５９】
なお、編集画面制御手段１５１は、編集領域３１７を表示している場合、音声認識情報Ｒｅｃ（図３参照）の単語が追加されるたびに、逐次、表示する文字列を追加する。これに伴い、編集画面制御手段１５１は、編集領域３１７を拡大していく。これによって、音声認識誤り修正支援装置１は、リアルタイムに素材コンテンツの音声認識に対する誤りを修正することができる。
編集領域３１７の編集は、後記する誤り修正手段１５２によって行われる。なお、編集領域３１７において任意の単語をマウス等でクリックされることで、編集画面制御手段１５１は、クリックされた単語の時間に対応する素材コンテンツの再生を映像／音声再生手段１５３に指示する。
また、編集画面制御手段１５１は、選択ボタン（図９中、「ｃｌｏｓｅ」）３１１の押下により、編集領域３１７を非表示とし、動画表示領域３１３Ｂをサムネイル画像表示領域３１３として、図８の項目一覧画面３１に表示を戻す。
図２に戻って、音声認識誤り修正支援装置１の構成について説明を続ける。
【手続補正９】
【補正対象書類名】明細書
【補正対象項目名】００９７
【補正方法】変更
【補正の内容】
【００９７】
また、誤り修正手段１５２は、編集動作をコンテキストメニューから選択することとしてもよい。
例えば、図２０に示すように、誤り修正手段１５２は、マウスの右クリックキー等によって、コンテキストメニュー３１９を表示する。
コンテキストメニュー３１９には、機能（コピー等）とショートカットキー（Ｃｔｒｌ＋Ｃ等）とが併せて表示され、マウスの左クリック等によって機能が選択されることで、誤り修正手段１５２は、該当する編集動作を実行する。あるいは、機能に対応するショートカットキーが押下されることで、誤り修正手段１５２は、該当する編集動作を実行する。
これによって、作業者の操作方法の習得や、操作手順を最小限に抑えることができる。